(57)【要約】【課題】  間仕切りを付き合わせた場合でも、突合せ部において光漏れを確実に防止することができる間仕切りの接続構造を提供する。【解決手段】  間仕切りとしての襖１において、端部に取り付けられた縦枠材１０の襖５との突合せ側の端面に遮光突条１１を取り付け、さらに襖５に取り付けられた縦枠材２０の襖１との突合せ側の端面に溝２２ｂを設ける。また遮光突条１１および溝２２ｂは、それぞれ襖１および襖５の上端から下端に亘って設ける。これにより、襖の建付け精度の狂いなどから襖同士の突合せ時に襖１の縦枠材１０と襖５の縦枠材２０との間に隙間ができたとしても、襖１の遮光突条１１が襖５の溝２２ｂに嵌まり込んでいることにより、遮光突条１１によって襖の表裏面間での光の漏れを襖の上端から下端に亘って確実に防止することができる。【選択図】              図１
2006342558.tif 000002
【特許請求の範囲】
【請求項１】
一方の間仕切りと他方の間仕切りとを突合せて接続する間仕切り接続構造において、
前記一方の間仕切りにおいて、前記他方の間仕切りとの突合せ面に、当該一方の間仕切りの上下方向の両端部に亘る凸部を形成し、
前記他方の間仕切りにおいて、前記一方の間仕切りとの突合せ面に、当該間仕切りの上下方向の両端部に亘る凹部を設け、
前記他方の間仕切りに形成された凹部に、前記一方の間仕切りに形成された凸部を嵌め込んで前記両者の間仕切りを接続することを特徴とする間仕切りの接続構造。
【請求項２】
前記凸部は、上下方向の凹部内に取付けた断面楕円形の突条にて形成されていることを特徴とする請求項１に記載の間仕切りの接続構造。
【発明の詳細な説明】
【技術分野】
【０００１】
本発明は、突合せ時に光漏れすることなく接続可能な間仕切りに関する。
【背景技術】
【０００２】
従来、襖等の間仕切りを柱付けしたり、間仕切りの端面同士を突合せたりすると、建付け精度の狂いなどから、間仕切りと柱の突合せ部や、間仕切り同士の突合せ部間に微妙な隙間ができることがあった。
特に襖においては、襖同士を突合せたときにできる襖間の隙間を隠すため、図４に示すように、突合せる襖うちの一方の襖１Ａにおいて、襖間の隙間を覆う隙間カバー２Ａを襖１Ａの表面または裏面の突合せ側端部に取り付けていた。
【特許文献１】特開            号公報
【発明の開示】
【発明が解決しようとする課題】
【０００３】
襖１Ａの設置時には、襖１Ａの上端を鴨居の溝に嵌め込み、また襖１Ａの取り外し時には襖１Ａを上方に持ち上げて襖１Ａの下端を敷居の溝から抜き取っていた。
また、襖１Ａの一方の面に隙間カバー２Ａが取り付けられている、すなわち隙間カバー２Ａは襖１Ａを持ち上げた場合にも鴨居の溝内に入り込まない位置に取り付けられているため、隙間カバー２Ａの上端と鴨居との間に、襖１Ａの取り付け時または取り外し時に襖１Ａを持ち上げた場合にも鴨居に隙間カバー２Ａが干渉しないための隙間が必要となる。
このため、隙間カバー２Ａは敷居から鴨居までの長さよりも短く形成され、襖同士を付き合わせた場合にも、襖１Ａの最上部にできる隙間は隙間カバー２Ａによって覆うことができず、襖の突合せ部の最上部から光が漏れてしまうといった問題があった。
【０００４】
また隙間カバー２Ａが、襖１Ａの表裏面のうちの一方の面に取り付けられているため、襖１Ａを突合せた場合や、引き分けた場合（突合せていない状態）にも、隙間カバー２Ａが襖１Ａから突出しており、見た目の美しさが損なわれていた。
さらに、隙間カバー２Ａは比較的薄く形成され、襖１Ａの突合せ側の端部から突出しているため、襖同士を突合せた場合に、他方の襖が隙間カバー２Ａに引っかかり隙間カバー２Ａが破損する恐れがあった。
【課題を解決するための手段】
【０００５】
本発明は上記のような問題を解決するため、光漏れのない見栄えのよい間仕切りの接続構造を提供することにある。
そのため本発明は、一方の間仕切りの突合せ側の端面に、間仕切りの上端から下端に亘る凸部を形成し、他方の間仕切りの突合せ側の端面に、間仕切りの上端から下端に亘る凹部を設け、間仕切り同士を付き合わせたときに、一方の間仕切りの凸部が他方の間仕切りの凹部に嵌まり込む構造として、双方の間仕切りを接続部分において光漏れすることなく接続可能な構成とした。
凸部を、上端から下端に亘る凹部内に断面楕円形状の突条をはめ込みあるいは接着して形成できるようにした。
【発明の効果】
【０００６】
一方の間仕切りの突合せ側の端面に凸部を設け、他方の間仕切りの突合せ側の端面に凹部を設けたので、間仕切り同士を付き合わせたときに、間仕切りの建付け精度の狂いなどから双方の間仕切りの突合せ面間に隙間ができたとしても、一方の間仕切りの凸部が他方の間仕切りの凹部に嵌まり込んでいることにより、凸部によって、間仕切りの表裏面間での光の漏れを間仕切りの上端から下端に亘って確実に防止することができる。
また、光漏れを防止するための凸部が間仕切りの表裏面に突出していないため、間仕切り同士を付き合わせた場合には凸部が完全に隠れ、間仕切りを突合せていない場合でも、凸部が目立たず見栄えがよい。
さらに、凸部は、断面楕円状の突条を適宜はめ込むことにより形成できるようにしたので、間仕切りが直角に交差する場合には、側面の凹部に突条を取付けることで対応できる。したがって各種室内設計に応じて対処できる。
【発明を実施するための最良の形態】
【０００７】
本発明の実施の形態を実施例により説明する。
なお本実施例は、本発明における間仕切りの接続構造を襖に適用したものである。
図１に、襖の接続構造を示す。
襖本体部３と、襖本体部３の端部に取り付けられた縦枠材１０とより襖１が構成される。
縦枠材１０は、襖１の突合せ側の端部に、襖本体部３の上端から下端に亘って取り付けられている。
また縦枠材１０は、断面がコの字形状に形成され、コの字形状の開口部に襖本体部３の端部が嵌め込まれている。
【０００８】
縦枠材１０のコの字形状開口部以外の外周面は、縦枠材１０の上端と下端とに亘って断面が半月上の溝１２ａ、１２ｂ、１２ｃがそれぞれ設けられている。
ここで溝１２ｂが、縦枠材１０における襖５との突合せ側の端面に設けられている。
襖１に取り付けられた縦枠材１０において、溝１２ｂに断面が楕円形の遮光突条１１が取り付けられている。この取付けは接着、はめ込みなど如何なる方法でもよい。
なお遮光突条１１は、溝１２ｂの上端から下端に亘る長さを有する。
また遮光突条１１の材料として、たとえば縦枠材１０と同一材料やゴム、プラスチックなどを用いる。
【０００９】
同様に、襖１を突合せる相手側の襖５においても、襖１との突合せ側の端部に断面が半月上の溝２２ａ、２２ｂ、２２ｃが設けられた縦枠材２０が、襖５を構成する襖本体部６に取り付けられている。
ここで溝２２ｂが、縦枠材２０における襖１との突合せ側の端面に設けられ、縦枠材２０の他の外周面に溝２２ａ、２２ｃが設けられている。
襖１と襖５とを突合せたときに、襖１の縦枠材１０に取り付けられた遮光突条１１が、襖５の縦枠材２０に設けられた溝２２ｂに嵌まり込む。
なお襖１と襖５は、その上端部が鴨居の溝内に嵌まり込み、図示しない下端部が敷居の溝に嵌まり込むものとする。
【００１０】
本実施例は以上のように構成され、襖１の端部に取り付けられた縦枠材１０において襖５との突合せ側の端面に遮光突条１１を取り付け、さらに襖５に取り付けられた縦枠材２０において襖１との突合せ側の端面に溝２２ｂを設けたので、襖の建付け精度の狂いなどから襖同士の突合せ時に襖１の縦枠材１０と襖５の縦枠材２０との間に隙間ができたとしても、襖１の遮光突条１１が襖５の溝２２ｂに嵌まり込んでいることにより、遮光突条１１によって襖の表裏面間での光の漏れを確実に防止することができる。
【００１１】
また遮光突条１１を襖１の上端から下端に亘って取り付け、襖１の上端を鴨居の溝内に嵌め込む構造となっていることにより、襖の最上部においても襖の表裏面間での光の漏れを確実に防止することができる。
【００１２】
遮光突条１１が襖１の表裏面側に突出することがないので、襖１と襖５とを引き分けた際にも目立たず見た目をすっきりと美しくさせることができる。
また特に襖１と襖５とを突合せた場合に、遮光突条１１は溝２２ｂ内に嵌まり込むことにより外からはまったく見えなくなり、見た目をすっきりとさせることができる。
【００１３】
遮光突条１１が襖１における襖５との突合せ側の端面に取り付けられ、さらに断面が楕円形となっていることにより、襖１と襖５との突合せ時に遮光突条１１が襖５に引っかかり遮光突条１１が破損してしまう恐れも無い。
また、縦枠材１０および縦枠材２０において襖の表裏面側に形成された溝１２ａ、１２ｃ、２２ａ、２２ｃを、襖の取っ手として用いることができる。
縦枠材１０と遮光突起１１とを別体に形成したので、襖１に取り付けた縦枠材１０と襖５に取り付けた縦枠材２０とを同一部品とすることができ、部品の生産効率を高くすることができる。
【００１４】
なお本実施例において、遮光突条１１と縦枠材１０とを別体に形成したが、一体に形成してもよい。
また襖１および襖５の上端の厚みを薄くして、鴨居の溝に嵌め込むこともできる。この場合には、襖１に取り付けられた遮光突条１１、および遮光突条１１を嵌め込む相手となる襖５に形成された溝２２ｂを、襖１および襖５の最上端から下端に亘るように設け、遮光突条１１および溝２２ｂの上端が鴨居の溝内に嵌まり込むようにする。これにより、上記実施例と同様に、襖の最上端からの光の漏れを防止することができる。
【００１５】
また実施例では遮光突条１１によって襖同士を突合せた際の隙間からの光の漏れを防止するものとしたが、たとえば遮光突条を柱に取り付け、該遮光突条に嵌まる溝を設けた襖を柱に柱付けすることにより、襖と柱との隙間からの光の漏れを防止することもできる。
【００１６】
さらに、２枚の襖が平行に移動するように配置されたものにおいては、図２に示すように、一方の襖１Ｂの端部において、他方の襖５Ｂと対向する側に遮光突条１１Ｂを取り付け、他方の襖５Ｂの端部において、襖１Ｂと対向する側に溝２３ａを設ける。
なお遮光突条１１Ｂと溝２３ａは、それぞれ襖１Ｂと襖５Ｂの上端から下端に亘って設けられている。
これにより、襖１Ｂと襖５Ｂとの端部同士が重なったときに、襖１Ｂの遮光突条１１Ｂが襖５Ｂの溝２３ａ内に嵌まり込むことによって、襖１Ｂと襖５Ｂとの重なり部分において襖の表裏面間での光の漏れを確実に防止することができるとともに両者の定位置を確保するストッパーの役目を果たすことになる。
【００１７】
実施例においては本発明における間仕切りの接続構造を襖に適用した例を示したが、これに限定されず、たとえば図３に示すように空間を隔てる間仕切りに適用した場合には、間仕切り５Ｃの端部に間仕切り５Ｃの上端と下端に亘る溝２４ａ、２４ｂ、２４ｃを形成し、溝２４ａ、２４ｂ、２４ｃにそれぞれ間仕切り１７の遮光突条１８、間仕切り１Ｃの遮光突条１１Ｃ、間仕切り１５の遮光突条１６を嵌め込むこともできる。
これにより、間仕切り１Ｃ、５Ｃ、１５、１７を接続面において光漏れすることなく十文字に接続することができる。
なお十文字以外にも、接続する間仕切りの数を変更することによりＬ字形状やＴ字形状などさまざまなパターンで間仕切りを接続することができる。
【図面の簡単な説明】
【００１８】
【図１】間仕切りの接続構造を示す図である。
【図２】平行に移動可能に配置された間仕切りの接続構造を示す図である。
【図３】間仕切りの接続構造の他の例を示す図である。
【図４】襖に取り付けられた隙間カバーの取り付け構造を示す図である。
【符号の説明】
【００１９】
１、１Ａ、１Ｂ        襖  （間仕切り）
１Ｃ、５Ｃ        間仕切り
２                隙間カバー
３、６            襖本体部
５、５Ｂ          襖（間仕切り）
１０              縦枠材
１１、１１Ｂ、１１Ｃ        遮光突条  （凸部）
１２ａ、１２ｂ、１２ｃ      溝
１５、１７        間仕切り
１６、１８        遮光突条  （凸部）
２０              縦枠材
２２ａ、２２ｃ    溝
２２ｂ、２３ａ、２４ａ、２４ｂ、２４ｃ        溝  （凹部）
【図１】
2006342558.tif 000003
【図２】
2006342558.tif 000004
【図３】
2006342558.tif 000005
【図４】
2006342558.tif 000006